(57)【特許請求の範囲】
【請求項１】
長手方向に所定の間隔で易切断部が形成されたウェットティッシュのロール体を収納する容器本体と、該容器本体の開口部に着脱自在に嵌着する蓋体とを備えたウェットティッシュ収納容器であって、
前記蓋体は、
貫通孔と、
該貫通孔の近傍に設けられた導入孔と、
前記貫通孔と前記導入孔とを連通する誘導路と、
前記貫通孔、前記導入孔、前記誘導路を開閉自在に覆う小蓋と、
前記貫通孔を閉塞するように取り付けられ、ウェットティッシュを引き出す引き出し孔を有したシリコンゴムからなる口栓とを備え、
前記口栓は、その外周から引き出し孔にかけてスリットが形成され、外周側のスリットが誘導路と連通するように取り付けられており、
また、前記口栓のスリットは、口栓が蓋体に取り付けられた状態で引き出し孔を閉鎖状態とするとともに、導入孔に通したウェットティッシュを誘導路から引き出し孔に引き込む際には、弾性変形してウェットティッシュの移動を可能にし、引き出し孔にウェットティッシュが挿通された後は、スリットが閉じて引き出し孔は閉鎖状態となることを特徴とするウェットティッシュ収納容器。
【請求項２】
前記口栓には、前記スリットの外周側に略Ｖ字状の切欠部が設けられていることを特徴とする請求項１に記載のウェットティッシュ収納容器。
【発明の詳細な説明】
【技術分野】
【０００１】
本発明は、長手方向に所定の間隔で易切断部が形成されたウェットティッシュのロール体を収納し、ウェットティッシュのロール体を切断して、ウェットティッシュを１枚ずつ引き出しできるようにしたウェットティッシュ収納容器に関するものである。
【背景技術】
【０００２】
従来より、長手方向に所定の間隔で易切断部が形成されたウェットティッシュのロール体を収納する容器本体と、該容器本体の開口部に着脱自在に嵌着する蓋体とを備え、この蓋体にウェットティッシュを引き出す引き出し孔を設け、この引き出し孔とウェットティッシュとの摩擦抵抗によって易切断部が切断されることにより、ウェットティッシュを１枚ずつ引き出せるようにしたウェットティッシュ収納容器が広く知られている。
【０００３】
このようなウェットティッシュ収納容器においては、ウェットティッシュを引き出し可能な状態とする際、ウェットティッシュの先端部を引き出し孔に挿通する作業が必要となるが、引き出し孔は、引き出し孔とウェットティッシュとの摩擦抵抗によって易切断部が切断されるようになっているため、内径がかなり小径になっており、この小径の引き出し孔にウェットティッシュの先端部を挿通するには、先の尖った道具を使ってウェットティッシュの先端部を引き出し孔に押し込むなどの作業が必要となり、ウェットティッシュを引き出し可能な状態とする際に、非常に煩わしい作業を要するといった問題があった。
【０００４】
このような問題を解消するものとして、容器本体に嵌着する蓋体に、外面から引き出し孔にかけてスリットが形成された弾性材からなる口栓を着脱可能に取り付けたウェットティッシュ収納容器が提案されている（例えば、特許文献１参照。）。
【０００５】
このウェットティッシュ収納容器は、蓋体から抜き取った口栓のスリットの両側を摘んでスリットを広げ、ウェットティッシュの先端部を引き出し孔に通した後、この口栓を蓋体に取り付けることにより、容易にウェットティッシュの先端部を引き出し孔に挿通することができるようになっている
また、容器本体に嵌着する蓋体に、ウェットティッシュを１枚ずつ引き出すための引き出し孔と、この引き出し孔よりも大きい面積の導入孔と、引き出し孔と導入孔とを連通する誘導路を設けたウェットティッシュ収納容器が提案されている（例えば、特許文献２参照。）。
【０００６】
このウェットティッシュ収納容器は、蓋体を容器本体から外して、容器本体内に収納されたウェットティッシュの先端部を摘み出し、蓋体の導入孔に通してから誘導路を介して引き出し孔にスライドさせることにより、容易にウェットティッシュの先端を引き出し孔に挿通することができるようになっている。
【先行技術文献】
【特許文献】
【０００７】
【特許文献１】特開２００８−７４４５７号
【特許文献２】特開平７−２０６０５５号
【発明の概要】
【発明が解決しようとする課題】
【０００８】
しかしながら、特許文献１に記載のウェットティッシュ収納容器は、ウェットティッシュを引き出し可能な状態にする際、蓋体から口栓を抜き取り、スリットの両側を摘んでスリットを広げ、ウェットティッシュの先端を引き出し孔に通した後、再びこの口栓を蓋体に取り付ける作業が必要となり、ウェットティッシュを引き出し可能な状態にするまでの作業が依然として面倒であるといった問題があった。
【０００９】
また、特許文献２に記載のウェットティッシュ収納容器にあっては、引き出し孔と導入孔とが誘導路で連通されており、引き出し孔が誘導路により開放状態となっているため、ウェットティッシュを引き出す際に、ウェットティッシュが引き出し孔から誘導路へ移動してしまい、ウェットティッシュが誘導路に引っ掛かって引き出し難くなったり、所定の長さで易切断部が切断できないなどウェットティッシュをうまく引き出せないといった問題があった。
【００１０】
本発明の目的は、簡便な作業によりウェットティッシュを引き出し可能な状態にするとともに、ウェットティッシュを安定して引き出し孔から引き出すことができるウェットティッシュ収納容器を提供することにある。
【課題を解決するための手段】
【００１１】
上記の目的を達成するために、請求項１に記載の発明は、長手方向に所定の間隔で易切断部が形成されたウェットティッシュのロール体を収納する容器本体と、該容器本体の開口部に着脱自在に嵌着する蓋体とを備えたウェットティッシュ収納容器であって、前記蓋体は、貫通孔と、該貫通孔の近傍に設けられた導入孔と、前記貫通孔と前記導入孔とを連通する誘導路と、前記貫通孔、前記導入孔、前記誘導路を開閉自在に覆う小蓋と、前記貫通孔を閉塞するように取り付けられ、ウェットティッシュを引き出す引き出し孔を有したシリコンゴムからなる口栓とを備え、前記口栓は、その外周から引き出し孔にかけてスリットが形成され、外周側のスリットが誘導路と連通するように取り付けられており、また、前記口栓のスリットは、口栓が蓋体に取り付けられた状態で引き出し孔を閉鎖状態とするとともに、導入孔に通したウェットティッシュを誘導路から引き出し孔に引き込む際には、弾性変形してウェットティッシュの移動を可能にし、引き出し孔にウェットティッシュが挿通された後は、スリットが閉じて引き出し孔は閉鎖状態となることを特徴とする。
【００１２】
請求項２に記載の発明は、請求項１に記載の、前記口栓には、前記スリットの外周側に略Ｖ字状の切欠部が設けられていることを特徴とする。
【発明の効果】
【００１３】
請求項１に記載のウェットティッシュ収納容器によれば、長手方向に所定の間隔でミシン目が形成されたウェットティッシュのロール体を収納する容器本体の開口部に着脱自在に嵌着する蓋体は、貫通孔と、該貫通孔の近傍に設けられた導入孔と、前記貫通孔と前記導入孔とを連通する誘導路と、前記貫通孔、前記導入孔、前記誘導路を開閉自在に覆う小蓋と、前記貫通孔を閉塞するように取り付けられ、ウェットティッシュを引き出す引き出し孔を有したシリコンゴムからなる口栓とを備え、前記口栓は、その外周から引き出し孔にかけてスリットが形成され、外周側のスリットが誘導路と連通するように取り付けられており、また、前記口栓のスリットは、口栓が蓋体に取り付けられた状態で引き出し孔を閉鎖状態とするとともに、導入孔に通したウェットティッシュを誘導路から引き出し孔に引き込む際には、弾性変形してウェットティッシュの移動を可能にし、引き出し孔にウェットティッシュが挿通された後は、スリットが閉じて引き出し孔は閉鎖状態となるので、ウェットティッシュを引き出し可能な状態にする際、蓋体を容器本体から外して、容器本体内にあるウェットティッシュの先端部を摘み出して蓋体の導入孔に通し、誘導路からスリットを通じて引き出し孔に引き込むことにより、従来のような、口栓を蓋体に脱着する作業を要することなく、ウェットティッシュを容易に引き出し孔に挿通することができ、このような簡便な作業によりウェットティッシュを引き出し可能な状態にすることができる。
【００１４】
また、ウェットティッシュを引き出し孔に挿通した後は、引き出し孔は閉鎖状態にあるので、引き出し孔に挿通したウェットティッシュを引き出す際に、ウェットティッシュは引き出し孔から移動することなく、ウェットティッシュを安定して引き出し孔から引き出すことができる。
【００１５】
請求項２に記載のウェットティッシュ収納容器によれば、請求項１に記載の、前記スリットの外周側に略Ｖ字状の切欠部が設けられているので、導入孔に通したウェットティッシュを誘導路から引き出し孔に引き込む際に、スリットにウェットティッシュを容易に挿入することができ、これによりウェットティッシュを容易に引き出し孔に挿通することができる。
【図面の簡単な説明】
【００１６】
【図１】本発明に係るウェットティッシュ収納容器の一例を示す斜視図である。
【図２】図１のＡ−Ａ断面図である。
【図３】本例の蓋体の下面を示した一部拡大説明図である。
【図４】（Ａ）（Ｂ）（Ｃ）はそれぞれ本例の口栓に形成されたスリットの一例を示した正面図である。
【図５】本例の蓋体の導入孔にウェットティッシュの先端部を通した状態を示す縦断面図である。
【図６】図５に示すウェットティッシュが引き出し孔に移動した状態を示す縦断面図である。
【発明を実施するための形態】
【００１７】
以下、本発明に係るウェットティッシュ収納容器を実施するための形態を説明する。  
図１乃至図６は本発明に係るウェットティッシュ収納容器の実施の形態を示すもので、図１は本発明に係るウェットティッシュ収納容器の一例を示す斜視図、図２は図１のＡ−Ａ断面図、図３は本例の蓋体の下面を示した一部拡大説明図、図４（Ａ）（Ｂ）（Ｃ）はそれぞれ本例の口栓に形成されたスリットの一例を示した正面図、図５は本例の蓋体の導入孔にウェットティッシュの先端部を通した状態を示す縦断面図、図６は図５に示すウェットティッシュが引き出し孔に移動した状態を示す縦断面図である。
【００１８】
本例のウェットティッシュ収納容器は、ウェットティッシュ１のロール体１ａを収納する容器本体２と、該容器本体２の開口部３に着脱自在に嵌着する蓋体４とで構成されている。容器本体２に収納されるウェットティッシュ１のロール体１ａは、長手方向に所定の間隔で易切断部５が形成されている。本例では、易切断部５は、間欠的に切れ目を有するミシン目となっている。また、ウェットティッシュ１のロール体１ａには、紙や不織布等の基布に予め化粧水やアルコール成分を含む薬液が含浸されている。
【００１９】
ウェットティッシュ１のロール体１ａが収納される容器本体２は、底部６を有し、上端部に開口部３が設けられた円筒状であって、高さ方向の中央部には、上端部および下端部よりもやや小径となったくびれ部７が形成されている。また、容器本体２の上端部の外周面には、周方向に沿って雄ねじ部８が形成されている。容器本体２は、ポリプロピレン（ＰＰ）、ポリエチレン（ＰＥ）、ポリ塩化ビニル（ＰＶＣ）、ＡＢＳ樹脂等の熱可塑性樹脂を用いてブロー成形や射出成形等により成型される。
【００２０】
蓋体４は、天面部９を有するとともに、下端部が開口した円筒状であって、その下端部の内周面には、周方向に沿って、容器本体２の雄ねじ部８と螺合する雌ねじ部１０が形成され、容器本体２の開口部３に着脱自在に嵌着するようになっている。蓋体４は、ポリプロピレン（ＰＰ）、ポリエチレン（ＰＥ）、ポリ塩化ビニル（ＰＶＣ）、ＡＢＳ樹脂等の熱可塑性樹脂を用いて射出成形等により成型される。
【００２１】
蓋体２の天面部９は、頂面部９ａより一段低くなった段下げ面部９ｂが形成されており、この段下げ面部９ｂには、貫通孔１１と、貫通孔１１の近傍に設けられた導入孔１２と、貫通孔１１と導入孔１２とを連通する誘導路１３が形成されている。
【００２２】
貫通孔１１の近傍に設けられた導入孔１２は、ウェットティッシュ１を引き出し可能な状態にする際に、ウェットティッシュ１の先端部１ｂを通す孔であって、後述する口栓の引き出し孔よりも大径に形成されており、ウェットティッシュ１の先端部１ｂが容易に挿通できる大きさとなっている。
【００２３】
本例では、誘導路１３は、導入孔１２側から貫通孔１１側に向かうにしたがって次第に狭幅となるように略ハの字状に形成されている。このように誘導路１３を略ハの字状に形成することで、導入孔１２に通したウェットティッシュ１を誘導路１３内に引き込む際に、ウェットティッシュ１が誘導路１３の入口で引っ掛かることなく、誘導路１３内にスムーズに移動できるようになっている。
【００２４】
蓋体４の天面部９に形成された段下げ面部９ｂには、貫通孔１１、導入孔１２、誘導路１３をとり囲む囲繞壁１４が垂設されている。また、蓋体４には、貫通孔１１、導入孔１２、誘導路１３を開閉自在に覆う小蓋１５が連設されており、この小蓋１５には、囲繞壁１４と緊密に嵌り合い、囲繞壁１４内を気密状態とする嵌合壁１６が形成されている。小蓋１５を閉じることにより、囲繞壁１４に嵌合壁１６が緊密に嵌り合い、囲繞壁１４内が気密状態となることで、容器本体２に収容されたウェットティッシュ１のロール体１ａの乾燥を防ぐことが可能となる。また、小蓋１５には、開閉する際に掴む掴み部１７が形成されている。
【００２５】
蓋体４の下面には、貫通孔１１の外側を囲む位置に環状壁１８が突設されており、環状壁１８は、誘導路１３の部分が切除されて略Ｃ字状に形成されている。
【００２６】
環状壁１８内には、ウェットティッシュ１を引き出す引き出し孔１９を有した口栓２０が貫通孔１１を閉塞するように取り付けられている。この口栓２０は、可撓性を有する弾性材のシリコンゴムで形成されている。
口栓２０は、その外周から引き出し孔１９にかけてスリット２１が形成され、外周側のスリット２１が誘導路１３と連通するように蓋体４の下面に突設された環状壁１８内に取り付けられている（図３）。
【００２７】
また、口栓２０のスリット２１は、口栓２０が蓋体４に取り付けられた状態で引き出し孔１９を閉鎖状態とするとともに、導入孔１２を通したウェットティッシュ１を誘導路１３から引き出し孔１９に引き込む際には、弾性変形してウェットティッシュ１がスリット２１内を移動可能となるように形成されている。
【００２８】
本例では、口栓２０は、円盤状に形成されているがこれに限定されるものではなく、環状壁の形状に応じて適宜変更され、環状壁１８内に嵌め込むことができ、環状壁１８内に嵌め込まれたときに、スリット２１が閉鎖されるものであれば良い。
【００２９】
図４（Ａ）、（Ｂ）、（Ｃ）は、いずれも口栓２０に形成されたスリット２１の一例を示すものであり、本例では、図４（Ａ）に示すように、口栓２０のスリット２１が直線状に形成されている。また、図４（Ｂ）に示す口栓２０は、スリット２１がへの字状に形成されており、口栓２０のスリット２１をへの字状に形成することで、引き出し孔１９に挿通されたウェットティッシュ１を引き出す際に、ウェットティッシュ１が引き出し孔１９からスリット２１内に入り込み、誘導路１３へ移動するのを防止することができるようになっている。また、図４（Ｃ）に示す口栓２０は、スリット２１が鋸歯状に形成されており、口栓２０のスリット２１を鋸歯状に形成することで、引き出し孔１９に挿通されたウェットティッシュ１を引き出す際に、ウェットティッシュ１が引き出し孔１９からスリット２１内に入り込み、誘導路１３へ移動するのを確実に防止することができるようになっている。
【００３０】
また、本例の口栓２０には、スリット２１の外周側に、導入孔１２に通したウェットティッシュ１を誘導路１３から引き出し孔１９に引き込む際に、スリット２１内にウェットティッシュ１を挿入し易くする略Ｖ字状の切欠部２２が設けられている。
【００３１】
このように構成された本例のウェットティッシュ収納容器において、ウェットティッシュ１を引き出し可能な状態とするには、次のように行う。  
まず、容器本体２に嵌着された蓋体４を回転させて容器本体２から外し、蓋体４の小蓋１５を開けて、導入孔１２、誘導路１３を開放する。次に、容器本体２に収納されたウェットティッシュ１のロール体１ａから一枚目のウェットティッシュ１の先端部１ｂを摘んで、蓋体４の導入孔１２に通す（図５）。
【００３２】
そして、この導入孔１２に通したウェットティッシュ１を誘導路１３に引き込み、誘導路１３からスリット２１を通じて引き出し孔１９に引き込む。このとき、口栓２０は弾性変形してスリット２１に隙間が生じ、スリット２１内をウェットティッシュ１が移動して、引き出し孔１９にウェットティッシュ１が挿通され、ウェットティッシュ１が引き出し可能な状態となる（図６）。また、引き出し孔１９にウェットティッシュ１が挿通された後は、スリット２１が閉じて引き出し孔１９は閉鎖状態となる。
【００３３】
このように、本例のウェットティッシュ収納容器によれば、ウェットティッシュ１を引き出し可能な状態にする際、容器本体２内にあるウェットティッシュ１の先端部１ｂを摘み出して蓋体４の導入孔１２に通し、誘導路１３から口栓２０のスリット２１を通じて引き出し孔１９に引き込むことにより、従来のような、口栓２０を蓋体４に脱着する作業を要することなく、ウェットティッシュ１を容易に引き出し孔１９に挿通することができ、このような簡便な作業によりウェットティッシュ１を引き出し可能な状態にすることができる。
【００３４】
また、ウェットティッシュ１を引き出し孔１９に挿通した後は、引き出し孔１９は閉鎖状態にあるので、引き出し孔１９に挿通したウェットティッシュ１を引き出す際、ウェットティッシュ１は引き出し孔１９から移動することなく、ウェットティッシュ１を安定して引き出し孔１９から引き出すことができる。
【００３５】
さらに、本例では、口栓２０のスリット２１の外周側に略Ｖ字状の切欠部２２が設けられているので、導入孔１２に通したウェットティッシュ１を誘導路１３から引き出し孔１９に引き込む際に、スリット２１にウェットティッシュ１を容易に挿入することができ、ウェットティッシュ１を容易に引き出し孔１９に挿通することができる。
【符号の説明】
【００３６】
１  ウェットティッシュ
１ａ  ロール体
１ｂ  先端部
２  容器本体
３  開口部
４  蓋体
５  易切断部
６  底部
７  くびれ部
８  雄ねじ部
９  天面部
９ａ  頂面部
９ｂ  段下げ面部
１０  雌ねじ部
１１  貫通孔
１２  導入孔
１３  誘導路
１４  囲繞壁
１５  小蓋
１６  嵌合壁
１７  掴み部
１８  環状壁
１９  引き出し孔
２０  口栓
２１  スリット
２２  切欠部
【図１】
0005850521.tif 000002
【図２】
0005850521.tif 000003
【図３】
0005850521.tif 000004
【図４】
0005850521.tif 000005
【図５】
0005850521.tif 000006
【図６】
0005850521.tif 000007